(57)【特許請求の範囲】
【請求項１】
利用者を被写体として撮影し、得られた画像に対して利用者に編集入力を行わせ、前記画像を通信ネットワークを介して接続されているサーバへ送信する画像編集装置であって、
前記編集入力が行われた編集画像からの、前記サーバへ送信する前記編集画像の前記利用者による選択を受け付ける選択手段と、
前記サーバにアクセスし前記編集画像を取得するための取得情報を、前記利用者が所有する携帯端末に対して非接触通信により送信する非接触通信手段と、
前記サーバから送信されてくる前記編集画像を取得するために、前記利用者による前記携帯端末のアドレスデータの入力を受け付ける入力処理手段と、
最初に、前記携帯端末との非接触通信の開始のみを受け付ける非接触通信利用画面の表示を制御する表示制御手段と、
前記非接触通信利用画面の表示に合わせて、最初に、前記非接触通信手段の前記利用者が所有する前記携帯端末に対する非接触通信および前記入力処理手段による前記携帯端末の前記アドレスデータの入力の受け付けのうちの前記非接触通信のみを可能とし、前記非接触通信が前記編集画像の所定枚数分行われた場合、前記非接触通信および前記アドレスデータの入力の受け付けのうちの前記利用者による選択を受け付けた方を可能とするよう制御する制御手段と
を備え、
前記表示制御手段は、前記制御手段が最初に前記非接触通信を可能とした後、前記非接触通信が前記編集画像の所定枚数分行われた場合、前記非接触通信および前記アドレスデータの入力の受け付けのうちのいずれかを前記利用者に選択させる画面の表示を制御する
画像編集装置。
【請求項２】
前記制御手段は、前記利用者の選択によって前記アドレスデータの入力の受け付けが可能とされている中、前記利用者の指示に応じて、前記非接触通信を可能とするよう制御する
請求項１に記載の画像編集装置。
【請求項３】
前記制御手段は、前記選択手段によって前記編集画像が選択され、前記制御手段が最初に前記非接触通信を可能とした後、非接触通信が行われずに所定の時間が経過した場合、または、前記利用者によって指示された場合に、前記非接触通信および前記アドレスデータの入力の受け付けのうちの前記利用者による選択を受け付けた方を可能とするよう制御する
請求項１乃至２に記載の画像編集装置。
【請求項４】
利用者を被写体として撮影し、得られた画像に対して利用者に編集入力を行わせ、前記画像を通信ネットワークを介して接続されているサーバへ送信する画像編集装置の画像編集方法であって、
前記編集入力が行われた編集画像からの、前記サーバへ送信する前記編集画像の前記利用者による選択を受け付ける選択ステップと、
前記サーバにアクセスし前記編集画像を取得するための取得情報を、前記利用者が所有する携帯端末との非接触通信により送信する非接触通信ステップと、
前記サーバから送信されてくる前記編集画像を取得するために、前記利用者による前記携帯端末のアドレスデータの入力を受け付ける入力処理ステップと、
前記入力処理ステップより前記非接触通信ステップを優先して実行させるよう制御する制御ステップと
最初に、前記携帯端末との非接触通信の開始のみを受け付ける非接触通信利用画面の表示を制御する第１の表示制御ステップと、
前記非接触通信利用画面の表示に合わせて、最初に、前記利用者が所有する前記携帯端末に対する非接触通信および前記携帯端末の前記アドレスデータの入力の受け付けのうちの前記非接触通信のみを可能とし、前記非接触通信が前記編集画像の所定枚数分行われた場合、前記非接触通信および前記アドレスデータの入力の受け付けのうちの前記利用者による選択を受け付けた方を可能とするよう制御する制御ステップと、
前記制御ステップの処理が最初に前記非接触通信を可能とした後、前記非接触通信が前記編集画像の所定枚数分行われた場合、前記非接触通信および前記アドレスデータの入力の受け付けのうちのいずれかを前記利用者に選択させる画面の表示を制御する第２の表示制御ステップと
を含む画像編集方法。
【請求項５】
利用者を被写体として撮影し、得られた画像に対して利用者に編集入力を行わせ、前記画像を通信ネットワークを介して接続されているサーバへ送信する処理をコンピュータに実行させるプログラムであって、
前記編集入力が行われた編集画像からの、前記サーバへ送信する前記編集画像の前記利用者による選択を受け付ける選択ステップと、
前記サーバにアクセスし前記編集画像を取得するための取得情報を、前記利用者が所有する携帯端末との非接触通信により送信する非接触通信ステップと、
前記サーバから送信されてくる前記編集画像を取得するために、前記利用者による前記携帯端末のアドレスデータの入力を受け付ける入力処理ステップと、
最初に、前記携帯端末との非接触通信の開始のみを受け付ける非接触通信利用画面の表示を制御する第１の表示制御ステップと、
前記非接触通信利用画面の表示に合わせて、最初に、前記利用者が所有する前記携帯端末に対する非接触通信および前記携帯端末の前記アドレスデータの入力の受け付けのうちの前記非接触通信のみを可能とし、前記非接触通信が前記編集画像の所定枚数分行われた場合、前記非接触通信および前記アドレスデータの入力の受け付けのうちの前記利用者による選択を受け付けた方を可能とするよう制御する制御ステップと、
前記制御ステップの処理が最初に前記非接触通信を可能とした後、前記非接触通信が前記編集画像の所定枚数分行われた場合、前記非接触通信および前記アドレスデータの入力の受け付けのうちのいずれかを前記利用者に選択させる画面の表示を制御する第２の表示制御ステップと
を含む処理をコンピュータに実行させるプログラム。
【発明の詳細な説明】
【技術分野】
【０００１】
本発明は、画像編集装置および方法、並びにプログラムに関し、特に、携帯端末の利用者の満足度を向上させることができるようにする画像編集装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
近年は、編集作業後の事後接客において、写真シール機からシール紙に印刷された画像をサーバに送信し、利用者が所有する携帯端末からそのサーバにアクセスして保存された画像を取得することで、利用者は、携帯端末で、シール紙に印刷された画像を利用することができるようになっている。
【０００５】
携帯端末からサーバへアクセスする手法としては、以下の手法１乃至４が挙げられる。
【０００６】
＜手法１＞写真シール機において、利用者に、所有する携帯端末のメールアドレスを入力させ、そのメールアドレス宛にサーバのURL（Uniform Resource Locator）を含むメールを送信することで、携帯端末からサーバへアクセスする。
＜手法２＞非接触型ICリーダ／ライタを備えた写真シール機が、非接触型ICを搭載した携帯端末と非接触通信を行うことで、携帯端末においてメールソフト（メーラー）を起動させることで、利用者にサーバ宛のメールを送信させ、サーバがその送信元に対して、サーバのURLを含むメールを送信することで、携帯端末からサーバへアクセスする。
＜手法３＞非接触型ICリーダ／ライタを備えた写真シール機が、非接触型ICを搭載した携帯端末と非接触通信を行うことで、携帯端末においてサーバのURLでブラウザを起動させることで、携帯端末がサーバへアクセスする（例えば、特許文献１参照）。
＜手法４＞非接触型ICリーダ／ライタを備えた写真シール機において、メールアドレスの入力とともに、非接触通信の開始を受け付けるようにし、利用者に選択された手法（手法２または３）で、携帯端末からサーバへアクセスする。
【先行技術文献】
【特許文献】
【０００７】
【特許文献１】特開２０１０−２２００３９号公報
【発明の概要】
【発明が解決しようとする課題】
【０００８】
上述の手法１は、非接触型ICを搭載していない携帯端末であっても実行することができるが、事後接客には制限時間があるにもかかわらず、利用者がメールアドレスを入力するのに時間がかかってしまうので、サーバに送信される画像の枚数が少なくなり、利用者の満足度を低下させていた。
【０００９】
また、手法２，３は、利用者がメールアドレスを入力する必要がなく、非接触通信により短時間でサーバへのアクセスが可能となるが、非接触型ICを搭載していない携帯端末では実行することができず、そのような利用者の満足度を低下させていた。
【００１０】
手法４は、携帯端末が非接触型ICを搭載しているかいないにかかわらず実行することができるが、メールアドレスの入力および非接触通信の開始のいずれも同時に受け付けることができるので、非接触型ICを搭載している携帯端末の利用者が、誤ってメールアドレスを入力してしまう恐れがある。この場合、利用者がメールアドレスを入力するのに時間がかかる上に、入力途中で非接触通信を利用できることに気づいても、既にある程度の時間が経過しているので、結果として、サーバに送信される画像の枚数が少なくなり、利用者の満足度を低下させていた。
【００１１】
本発明は、このような状況に鑑みてなされたものであり、携帯端末の利用者の満足度を向上させることができるようにするものである。
【課題を解決するための手段】
【００１２】
本発明の一側面の画像編集装置は、利用者を被写体として撮影し、得られた画像に対して利用者に編集入力を行わせ、前記画像を通信ネットワークを介して接続されているサーバへ送信する画像編集装置であって、前記編集入力が行われた編集画像からの、前記サーバへ送信する前記編集画像の前記利用者による選択を受け付ける選択手段と、前記サーバにアクセスし前記編集画像を取得するための取得情報を、前記利用者が所有する携帯端末に対して非接触通信により送信する非接触通信手段と、前記サーバから送信されてくる前記編集画像を取得するために、前記利用者による前記携帯端末のアドレスデータの入力を受け付ける入力処理手段と、最初に、前記携帯端末との非接触通信の開始のみを受け付ける非接触通信利用画面の表示を制御する表示制御手段と、前記非接触通信利用画面の表示に合わせて、最初に、前記非接触通信手段の前記利用者が所有する前記携帯端末に対する非接触通信および前記入力処理手段による前記携帯端末の前記アドレスデータの入力の受け付けのうちの前記非接触通信のみを可能とし、前記非接触通信が前記編集画像の所定枚数分行われた場合、前記非接触通信および前記アドレスデータの入力の受け付けのうちの前記利用者による選択を受け付けた方を可能とするよう制御する制御手段とを備え、前記表示制御手段は、前記制御手段が最初に前記非接触通信を可能とした後、前記非接触通信が前記編集画像の所定枚数分行われた場合、前記非接触通信および前記アドレスデータの入力の受け付けのうちのいずれかを前記利用者に選択させる画面の表示を制御する。
【００１４】
前記制御手段には、前記利用者の選択によって前記アドレスデータの入力の受け付けが可能とされている中、前記利用者の指示に応じて、前記非接触通信を可能とするよう制御させることができる。
【００１７】
前記制御手段には、前記選択手段によって前記編集画像が選択され、前記制御手段が最初に前記非接触通信を可能とした後、非接触通信が行われずに所定の時間が経過した場合、または、前記利用者によって指示された場合に、前記非接触通信および前記アドレスデータの入力の受け付けのうちの前記利用者による選択を受け付けた方を可能とするよう制御させることができる。
【００２０】
本発明の一側面の画像編集方法は、利用者を被写体として撮影し、得られた画像に対して利用者に編集入力を行わせ、前記画像を通信ネットワークを介して接続されているサーバへ送信する画像編集装置の画像編集方法であって、前記編集入力が行われた編集画像からの、前記サーバへ送信する前記編集画像の前記利用者による選択を受け付ける選択ステップと、前記サーバにアクセスし前記編集画像を取得するための取得情報を、前記利用者が所有する携帯端末との非接触通信により送信する非接触通信ステップと、前記サーバから送信されてくる前記編集画像を取得するために、前記利用者による前記携帯端末のアドレスデータの入力を受け付ける入力処理ステップと、最初に、前記携帯端末との非接触通信の開始のみを受け付ける非接触通信利用画面の表示を制御する第１の表示制御ステップと、前記非接触通信利用画面の表示に合わせて、最初に、前記利用者が所有する前記携帯端末に対する非接触通信および前記携帯端末の前記アドレスデータの入力の受け付けのうちの前記非接触通信のみを可能とし、前記非接触通信が前記編集画像の所定枚数分行われた場合、前記非接触通信および前記アドレスデータの入力の受け付けのうちの前記利用者による選択を受け付けた方を可能とするよう制御する制御ステップと、前記制御ステップの処理が最初に前記非接触通信を可能とした後、前記非接触通信が前記編集画像の所定枚数分行われた場合、前記非接触通信および前記アドレスデータの入力の受け付けのうちのいずれかを前記利用者に選択させる画面の表示を制御する第２の表示制御ステップとを含む。
【００２１】
本発明の一側面のプログラムは、利用者を被写体として撮影し、得られた画像に対して利用者に編集入力を行わせ、前記画像を通信ネットワークを介して接続されているサーバへ送信する処理をコンピュータに実行させるプログラムであって、前記編集入力が行われた編集画像からの、前記サーバへ送信する前記編集画像の前記利用者による選択を受け付ける選択ステップと、前記サーバにアクセスし前記編集画像を取得するための取得情報を、前記利用者が所有する携帯端末との非接触通信により送信する非接触通信ステップと、前記サーバから送信されてくる前記編集画像を取得するために、前記利用者による前記携帯端末のアドレスデータの入力を受け付ける入力処理ステップと、最初に、前記携帯端末との非接触通信の開始のみを受け付ける非接触通信利用画面の表示を制御する第１の表示制御ステップと、前記非接触通信利用画面の表示に合わせて、最初に、前記利用者が所有する前記携帯端末に対する非接触通信および前記携帯端末の前記アドレスデータの入力の受け付けのうちの前記非接触通信のみを可能とし、前記非接触通信が前記編集画像の所定枚数分行われた場合、前記非接触通信および前記アドレスデータの入力の受け付けのうちの前記利用者による選択を受け付けた方を可能とするよう制御する制御ステップと、前記制御ステップの処理が最初に前記非接触通信を可能とした後、前記非接触通信が前記編集画像の所定枚数分行われた場合、前記非接触通信および前記アドレスデータの入力の受け付けのうちのいずれかを前記利用者に選択させる画面の表示を制御する第２の表示制御ステップとを含む処理をコンピュータに実行させる。
【００２２】
本発明においては、編集入力が行われた編集画像からの、外部のサーバへ送信する編集画像の利用者による選択が受け付けられ、サーバにアクセスし編集画像を取得するための取得情報が、利用者が所有する携帯端末との非接触通信により送信され、サーバから送信されてくる編集画像を取得するために、利用者による携帯端末のアドレスデータの入力が受け付けられ、最初に、携帯端末との非接触通信の開始のみを受け付ける非接触通信利用画面の表示が制御され、非接触通信利用画面の表示に合わせて、最初に、利用者が所有する携帯端末に対する非接触通信および携帯端末のアドレスデータの入力の受け付けのうちの非接触通信のみを可能とし、非接触通信が編集画像の所定枚数分行われた場合、非接触通信およびアドレスデータの入力の受け付けのうちの利用者による選択を受け付けた方を可能とするよう制御され、最初に非接触通信を可能とした後、非接触通信が編集画像の所定枚数分行われた場合、非接触通信および前記アドレスデータの入力の受け付けのうちのいずれかを利用者に選択させる画面の表示が制御される。
【発明の効果】
【００２３】
本発明によれば、携帯端末の利用者の満足度を向上させることが可能となる。
【図面の簡単な説明】
【００２４】
【図１】写真シール作成装置の外観の構成例を示す斜視図である。
【図２】カーテンを取り付けた状態の写真シール作成装置の外観を示す斜視図である。
【図３】写真シール作成装置の外観を他の角度からみた斜視図である。
【図４】利用者の移動について説明する図である。
【図５】撮影部の構成例を示す図である。
【図６】撮影部の色について説明する図である。
【図７】背景部の構成例を示す図である。
【図８】編集部の構成例を示す図である。
【図９】事後接客部の構成例を示す図である。
【図１０】写真シール作成装置の内部の構成例を示すブロック図である。
【図１１】制御部の詳細な構成例を示す機能ブロック図である。
【図１２】事後接客処理部の詳細な構成例を示す機能ブロック図である。
【図１３】写真シール作成ゲームを提供する処理について説明するフローチャートである。
【図１４】携帯送信ゲーム処理の流れの例を説明する図である。
【図１５】携帯送信ゲーム処理について説明するフローチャートである。
【図１６】携帯送信ゲーム処理における画面遷移の例を示す図である。
【図１７】携帯送信ゲーム処理における画面遷移の例を示す図である。
【図１８】携帯送信ゲーム処理における画面遷移の他の例を示す図である。
【図１９】携帯送信ゲーム処理の流れの他の例を説明する図である。
【図２０】図１９の携帯送信ゲーム処理について説明するフローチャートである。
【図２１】図１９の携帯送信ゲーム処理における画面遷移の例を示す図である。
【図２２】携帯送信ゲーム処理の流れのさらに他の例を説明する図である。
【図２３】図２２の携帯送信ゲーム処理について説明するフローチャートである。
【図２４】図２２の携帯送信ゲーム処理における画面遷移の例を示す図である。
【図２５】図２２の携帯送信ゲーム処理における画面遷移の他の例を示す図である。
【図２６】写真シール作成装置を含む情報処理システムの構成例を示すブロック図である。
【図２７】カーテンを取り付けた状態の図３の写真シール作成装置の外観の構成例を示す斜視図である。
【図２８】写真シール作成装置の他の外観の構成例を示す斜視図である。
【図２９】カーテンを取り付けた状態の図２４の写真シール作成装置の外観を示す斜視図である。
【図３０】図２４の写真シール作成装置の外観を他の角度からみた斜視図である。
【図３１】利用者の移動について説明する図である。
【図３２】編集部の正面の構成例を示す図である。
【図３３】編集部の側面の構成例を示す図である。
【図３４】事中接客部の構成例を示す図である。
【図３５】図２４の写真シール作成装置の内部の構成例を示すブロック図である。
【図３６】写真シール作成ゲームを提供する処理について説明するフローチャートである。
【発明を実施するための形態】
【００２５】
＜第１の実施の形態＞
［写真シール作成装置の外観構成］
図１は、本発明の一実施形態に係る写真シール作成装置１の外観の構成例を示す斜視図である。
【００２６】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２７】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２８】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２９】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３０】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３１】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図３）から構成される。
【００３２】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３３】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３４】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。なお、複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【００３５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
図２に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００３７】
また、図２に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００３８】
図１の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３９】
図１に示す編集部１２の構成を正面側の構成とすると、２組の利用者が同時に編集処理を行うことができるように、編集部１２の正面側と背面側には編集処理に用いられる構成がそれぞれ設けられる。
【００４０】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図３）が設けられる。
【００４１】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４２】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４３】
図３は、写真シール作成装置１を別の角度から見た斜視図である。
【００４４】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４５】
図３に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４６】
ここで、写真シール作成ゲームの流れと、それに伴う利用者の移動について図４を参照して説明する。図４は、写真シール作成装置１を上から見た平面図である。
【００４７】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４８】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４９】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５０】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５１】
画像の印刷が終了したとき、利用者は、事後接客部１３に設けられた排出口からシール紙を受け取り、一連の写真シール作成ゲームを終えることになる。
【００５２】
［各装置の構成］
次に、各装置の構成について説明する。
【００５３】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５４】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５５】
正面パネル４１のほぼ中央には撮影・表示ユニット８１が設けられる。撮影・表示ユニット８１は、カメラ９１、正面ストロボ９２、およびタッチパネルモニタ９３から構成される。
【００５６】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５７】
カメラ９１を囲むように発光面が設けられた正面ストロボ９２は、他のストロボと同様にカメラ９１による撮影に合わせて発光し、被写体としての利用者の顔付近を正面から照射する。
【００５８】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５９】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６０】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６１】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００６２】
足元ストロボ８６の右側には、利用者がお金を投入する硬貨投入返却口８７が設けられる。
【００６３】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６４】
このような構成を有する撮影部２１の各部のうち、正面パネル４１、側面パネル４２Ａ、側面パネル４２Ｂ、およびベース部４３の撮影空間Ａ１に面する部分の色と、連結部２３Ａ、連結部２３Ｂの内側の色は、図６に色を付して示すように黒色などの暗い色とされる。図２を参照して説明したように、撮影空間Ａ１の天井前方の開口に取り付けられる天井前方カーテン６１の内側の色と、出入り口Ｇ１およびＧ２に取り付けられるカーテンの内側の色が暗い色であることもあって、撮影空間Ａ１の前方の色は全体的に暗い色となる。
【００６５】
後述するように、背景部２２には撮影空間Ａ１にいる利用者を背面側から照射するストロボが設けられる。撮影空間Ａ１の前方の色を全体的に暗い色にすることによって、背景部２２に設けられるストロボからの光が撮影空間Ａ１内で反射し、利用者を照射してしまうことを防ぐことができ、意図した明るさで撮影を行うことが可能になる。
【００６６】
すなわち、背景部２２の両端に設けられたストロボからの光のうち、利用者にあたらない光の反射は出入り口Ｇ１およびＧ２に取り付けられた側面カーテンの内側で防ぐことができる。また、撮影部２１の正面に設けられた例えば下ストロボ８５からの光のうち、利用者にあたらない光の反射は天井前方カーテン６１の内側で防ぐことができる。撮影部２１の正面に設けられた左ストロボ８３および右ストロボ８４からの光のうち、利用者にあたらない光の反射は側面パネル４２Ａ、側面パネル４２Ｂの内側で防ぐことができる。
【００６７】
また、図２を参照して説明したように、撮影空間Ａ１の天井後方の開口に取り付けられる天井後方カーテン６２の内側の色は明るい色であり、撮影空間Ａ１の後方の色は全体的に明るい色となる。
【００６８】
撮影空間Ａ１の後方の色を全体的に明るい色にすることによって、撮影部２１に設けられるストロボからの光を撮影空間Ａ１内で反射させ、利用者を後方から照射することが可能になる。利用者を後方から照射して撮影を行うことによって、逆光で撮影したときと同様に、利用者の輪郭が柔らかい雰囲気で写っている画像を撮影することが可能になる。また、撮影画像から抽出した利用者の部分を他の画像と合成する場合などにクロマキ処理が行われるが、背景を明るくすることによってクロマキ処理を正しく行うことが可能になる。
【００６９】
図７は、背景部２２の撮影空間Ａ１側の構成例を示す図である。
【００７０】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００７１】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００７２】
図８は、編集部１２の正面側（編集空間Ａ２−１側）の構成例を示す図である。
【００７３】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７４】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７５】
編集部１２の左側には事後接客部１３が設けられる。
【００７６】
図９は、事後接客部１３の正面側の構成例を示す図である。
【００７７】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００７８】
タブレット内蔵モニタ１６１の下には非接触型ICリーダ／ライタ１６３が設けられ、非接触型ICリーダ／ライタ１６３の下には写真シール排出口１６４が設けられる。写真シール排出口１６４の下にはスピーカ１６５が設けられる。
【００７９】
非接触型ICリーダ／ライタ１６３は、近接された非接触型ICと通信を行い、非接触型ICからのデータの読み出しや非接触型ICに対するデータの書き込みを行う。
【００８０】
写真シール排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８１】
スピーカ１６５は、事後接客処理の案内音声、BGM、効果音等の音を出力する。
【００８２】
［写真シール作成装置の内部構成］
次に、写真シール作成装置１の内部構成について説明する。図１０は、写真シール作成装置１の内部の構成例を示すブロック図である。上述した構成と同じ構成には同じ符号を付してある。重複する説明については適宜省略する。
【００８３】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００８４】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８５】
通信部２０３はインターネットなどのネットワークのインタフェースであり、制御部２０１による制御に従って外部の装置と通信を行う。
【００８６】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８７】
ROM２０６には、制御部２０１において実行されるプログラムやデータが記憶されている。RAM２０７は、制御部２０１が処理するデータやプログラムを一時的に記憶する。
【００８８】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００８９】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００９０】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９１】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００９２】
カメラ９１は、制御部２０１による制御に従って撮影を行い、撮影によって得られた画像を制御部２０１に出力する。
【００９３】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９４】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９５】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９６】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、写真シール排出口１６４に排出する。一点鎖線で囲んで示す事後接客部２１０と印刷部２１１が、事後接客空間Ａ３にいる利用者を相手とした処理を行う構成となる。
【００９７】
［制御部の構成］
次に、制御部２０１について説明する。図１１は、制御部２０１がROM２０６などに格納されているプログラムを実行することにより実現される機能ブロックの構成例を示している。
【００９８】
制御部２０１は、利用者グループを撮影する等の写真シール作成ゲームの撮影作業の工程に関する処理を行う撮影処理部３０２、撮影画像に対する落書き編集等の写真シール作成ゲームの編集作業の工程に関する処理を行う編集処理部３０３、シール紙の印刷等の写真シール作成ゲームの印刷の工程に関する処理を行う印刷処理部３０４、および、編集作業を終了した利用者グループを接客する写真シール作成ゲームの事後接客の工程に関する処理を行う事後接客処理部３０５を有する。
【００９９】
つまり、制御部２０１は、写真シール作成ゲームの各工程に関する処理の制御を行う。
【０１００】
［事後接客処理部の構成］
図１２は、図１１の事後接客処理部３０５のさらに詳細な構成例を示す機能ブロック図である。
【０１０１】
事後接客処理部３０５は、事後接客部２１０を制御し、印刷終了待機中の利用者に対する事後接客処理の１つとして、撮影画像や編集済みの画像を携帯端末に送信する携帯送信ゲーム処理を行う。具体的には、事後接客処理部３０５は、携帯端末の電子メールアドレスの入力画面や、送信する画像の選択画面をタブレット内蔵モニタ１６１に表示させ、利用者による操作に応じて画像を送信する。
【０１０２】
事後接客処理部３０５は、進行制御部３１１、表示制御部３１２、送信画像選択制御部３１３、非接触通信処理部３１４、メールアドレス入力処理部３１５、および通信制御部３１６から構成される。
【０１０３】
進行制御部３１１は、表示制御部３１２乃至通信制御部３１６を制御することで、事後接客の工程の進行を制御する。特に、進行制御部３１１は、事後接客の工程において、メールアドレス入力処理部３１５による処理より、非接触通信処理部３１４による処理を優先させて実行させるよう制御する。
【０１０４】
表示制御部３１２は、タブレット内蔵モニタ１６１に表示される携帯送信ゲーム処理に関するの画面を表示させたり、それらの画面上における各種のGUIの表示に関する処理を行う。
【０１０５】
送信画像選択制御部３１３は、携帯端末に送信する携帯送信用画像の選択に関する処理を行う。
【０１０６】
非接触通信処理部３１４は、非接触型ICリーダ／ライタ１６３と、非接触型ICを搭載した携帯端末との通信に関する処理を行う。
【０１０７】
メールアドレス入力処理部３１５は、携帯送信用画像が送信される携帯端末のメールアドレスの、利用者による入力に関する処理を行う。
【０１０８】
通信制御部３１６は、通信部２０３を制御し、インターネットなどのネットワークを介した通信に関する処理を行う。
【０１０９】
このような構成により、写真シール作成装置１は、撮影画像や編集済みの画像を、外部のサーバを介して携帯端末に送信することができる。すなわち、写真シール作成装置１は、利用者を被写体として撮影し、得られた画像に対して利用者に編集入力を行わせ、前記画像を外部のサーバへ送信する画像編集装置として機能する。
【０１１０】
［写真シール作成装置の動作］
次に、図１３のフローチャートを参照して、写真シール作成ゲームを提供する写真シール作成装置１の処理について説明する。
【０１１１】
ステップＳ１において、写真シール作成装置１の制御部２０１は、所定の金額分の硬貨が投入されたか否かを硬貨処理部２２１から供給される信号に基づいて判定し、投入されたと判定するまで待機する。
【０１１２】
硬貨が投入されたとステップＳ１において判定した場合、ステップＳ２において、撮影処理部３０２は、撮影部２０８を制御し、カメラ９１に取り込まれた被写体の動画像をタッチパネルモニタ９３にライブビュー表示させ、撮影空間Ａ１にいる利用者を被写体として撮影する本撮影処理を行う。写真シール作成装置１による撮影処理は、ステップＳ２の本撮影処理とステップＳ３の被写体の画像処理からなる。
【０１１３】
ステップＳ３において、撮影処理部３０２は、被写体の画像処理を行う。被写体の画像処理により、本撮影処理によって得られた撮影画像に写る被写体の目のサイズの選択や、撮影画像の明るさの調整などの各種の処理が行われる。
【０１１４】
ステップＳ４において、撮影処理部３０２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１１５】
ステップＳ５において、編集処理部３０３は、編集空間Ａ２−１と編集空間Ａ２−２のうち、撮影処理を終えた利用者の移動先とした方の編集空間に対応する編集部２０９を制御し、編集処理を行う。具体的には、編集処理部３０３は、編集対象画像として選択された撮影画像に合成する合成用画像を利用者に選択させ、選択された合成用画像を撮影画像に合成させ、得られた合成画像に対して、利用者による編集操作に従って編集を行う。
【０１１６】
ステップＳ６において、編集処理部３０３は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１７】
ステップＳ７において、印刷処理部３０４は、利用者により選択された画像をプリンタ２４１に出力してシール紙に印刷させる印刷処理を行う。
【０１１８】
ステップＳ８において、事後接客処理部３０５は、事後接客部２１０を制御し、印刷終了待機中の利用者に対する事後接客処理を行う。例えば、撮影画像や編集済みの画像を携帯端末に送信する携帯送信ゲーム処理を事後接客処理として行う場合、制御部２０１は、携帯端末の電子メールアドレスの入力画面や、送信する画像の選択画面をタブレット内蔵モニタ１６１に表示させ、利用者による操作に応じて画像を送信する。また、ミニゲームを利用者に行わせるミニゲーム処理を事後接客処理として行う場合、制御部２０１は、ミニゲームの画面をタブレット内蔵モニタ１６１に表示させる。アンケートに答えさせるアンケート処理を事後接客処理として行う場合、制御部２０１は、アンケート画面をタブレット内蔵モニタ１６１に表示させ、利用者による回答を取得する。
【０１１９】
印刷が終了すると、ステップＳ９において、事後接客処理部３０５は、印刷が終了した旨をタブレット内蔵モニタ１６１に表示させ、プリンタ２４１は、画像が印刷されたシール紙を写真シール排出口１６４に排出し、処理を終了させる。
【０１２０】
［携帯送信ゲーム処理の流れの例について］
ここで、図１４を参照して、事後接客処理として行われる携帯送信ゲーム処理の流れの例について説明する。
【０１２１】
図１４に示されるように、携帯送信ゲーム処理は以下の順番で行われる。
【０１２２】
１．（Ａ）携帯送信用画像の選択
２．（Ｂ）非接触型IC利用の画像取得
３．（Ｃ）画像取得方法の選択
４．（Ｄ）メールアドレス入力、または、（Ｂ）非接触型IC利用の画像取得
【０１２３】
図１４の携帯送信ゲーム処理によれば、処理（Ａ）において、携帯送信用画像が利用者によって選択されると、処理（Ｂ）において、非接触通信により携帯端末に、携帯送信用画像を取得するための取得情報が送信される。取得情報は、携帯端末においてメーラーを起動させ、携帯送信用画像が保存されるサーバ宛にメールを送信させるコマンドであったり、携帯端末においてブラウザを起動させ、携帯送信用画像が保存されるサーバにアクセスさせるコマンドを含む情報である。
【０１２４】
これにより、まず、非接触型ICを搭載した携帯端末の利用者に対して、非接触型ICを利用した画像の取得を行わせることができる。
【０１２５】
その後、処理（Ｃ）において、利用者により画像取得方法が選択される。
【０１２６】
ここで、利用者によりメールアドレス入力が選択されると、処理（Ｄ）において、メールアドレスの入力画面が表示され、利用者によるメールアドレスの入力が受け付けられる。
【０１２７】
一方、利用者により非接触型IC利用の画像取得が選択されると、処理（Ｂ）において、非接触通信により携帯端末に携帯送信用画像を取得するための取得情報が送信される。
【０１２８】
なお、メールアドレスの入力画面には、画像取得方法をメールアドレス入力から非接触型IC利用の画像取得に変更するためのボタンが設けられており、メールアドレス入力が選択された場合であっても、非接触型IC利用の画像取得に切り替えられるようになっている。
【０１２９】
［携帯送信ゲーム処理の例］
次に、図１５のフローチャートを参照して、上述した携帯送信ゲーム処理の詳細について説明する。携帯送信ゲーム処理は、タブレット内蔵モニタ１６１に表示される、事後接客処理として行われるゲームの選択画面から携帯送信ゲームが選択されると、進行制御部３１１の下、開始される。なお、以下で説明する携帯送信ゲーム処理においては、最大２枚の画像を携帯端末に送信することができるものとするが、携帯端末に送信される画像の枚数は２枚に限られない。
【０１３０】
ステップＳ３１において、送信画像選択制御部３１３は、タブレット内蔵モニタ１６１に携帯送信用画像選択画面を表示させ、利用者に携帯送信用画像を選択させて、利用者の選択を受け付ける。
【０１３１】
このとき、タブレット内蔵モニタ１６１には、表示制御部３１２により、図１６に示される携帯送信用画像選択画面Ａ１が表示される。携帯送信用画像選択画面Ａ１には、携帯送信用画像として、６枚の編集済み画像、１枚のコーデ撮影画像、およびケータイおまけ画像が表示される。コーデ撮影画像は、利用者の服装がわかるように、被写体の顔から膝あたりまでが撮影された画像でかつ、携帯端末に送信するためだけの携帯送信専用画像（印刷されない画像）であり、ケータイおまけ画像は、携帯端末に送信するために編集対象画像から作成された画像である。
【０１３２】
携帯送信用画像選択画面Ａ１において、利用者により携帯送信用画像のうちの１枚が選択され、「決定」ボタンが押下される（タッチペン１６２でタップされる）と、ステップＳ３２において、非接触通信処理部３１４は、非接触型ICリーダ／ライタ１６３を、非接触通信が可能な状態にする。
【０１３３】
このとき、タブレット内蔵モニタ１６１には、表示制御部３１２により、図１６に示される非接触通信利用画面Ｂ１が表示される。非接触通信利用画面Ｂ１には、利用者に選択された携帯送信用画像と、非接触型ICリーダ／ライタ１６３に利用者の携帯端末をかざすように促すメッセージ「下の非接触型ICポートにケータイをかざしてね」が表示される。
【０１３４】
利用者により、非接触型ICリーダ／ライタ１６３に携帯端末がかざされると、非接触通信処理部３１４は、非接触型ICリーダ／ライタ１６３に、携帯端末との非接触通信を行わせ、携帯端末に取得情報を送信する。取得情報の送信に成功し、非接触通信が完了すると、非接触通信利用画面Ｂ１上に、非接触通信利用画面Ｂ１の下に示される「通信完了！」のポップアップが数秒間表示される。
【０１３５】
ステップＳ３３において、非接触通信処理部３１４は、非接触型ICリーダ／ライタ１６３が非接触通信を行ったか否かを判定する。非接触通信を行ったと判定されると、処理はステップＳ３４に進み、進行制御部３１１は、２枚目の携帯送信用画像についての処理を行ったか否かを判定する。２枚目の携帯送信用画像についての処理を行っていないと判定されると、処理はステップＳ３１に戻り、２枚目の携帯送信用画像について、ステップＳ３１乃至Ｓ３４の処理が行われる。
【０１３６】
すなわち、図１６の非接触通信利用画面Ｂ１において、「通信完了！」のポップアップが数秒間表示された後、利用者によって、「２枚目へ進む」ボタンが押下されると、タブレット内蔵モニタ１６１には、表示制御部３１２により、図１６に示される携帯送信用画像選択画面Ａ２が表示される。携帯送信用画像選択画面Ａ２は、携帯送信用画像選択画面Ａ１と同一であるので、その説明は省略する。
【０１３７】
携帯送信用画像選択画面Ａ２において、利用者により、携帯送信用画像のうちの１枚が選択され、「決定」ボタンが押下されると、タブレット内蔵モニタ１６１には、非接触通信利用画面Ｂ２が表示される。非接触通信利用画面Ｂ２は、非接触通信利用画面Ｂ１と基本的に同一であるので、その説明は省略する。
【０１３８】
そして、利用者により、非接触型ICリーダ／ライタ１６３に携帯端末がかざされ、携帯端末との非接触通信が完了し、「通信完了！」のポップアップが数秒間表示された後、利用者によって、「ケータイ送信を終わる」ボタンが押下されると、ステップＳ３４において、２枚目の携帯送信用画像についての処理を行ったと判定され、処理はステップＳ３５に進む。
【０１３９】
一方、ステップＳ３３において、非接触通信を行っていないと判定された場合、具体的には、非接触型ICリーダ／ライタ１６３に携帯端末がかざされず、所定時間が経過した場合、処理はステップＳ３５に進む。
【０１４０】
ステップＳ３５において、進行制御部３３１は、タブレット内蔵モニタ１６１に画像取得方法選択画面を表示させ、利用者に画像取得方法を選択させる。
【０１４１】
このとき、タブレット内蔵モニタ１６１には、表示制御部３１２により、図１７に示される画像取得方法選択画面Ｃが表示される。画像取得方法選択画面Ｃには、非接触型IC利用の画像取得を利用者に選択させる「非接触型IC」ボタンと、メールアドレス入力を利用者に選択させる「アドレス入力」ボタンとが表示される。
【０１４２】
ステップＳ３６において、進行制御部３１１は、非接触通信が選択された否かが判定する。非接触通信が選択されたと判定された場合、すなわち、画像取得方法選択画面Ｃにおいて「非接触型IC」ボタンが選択された場合、ステップＳ３７において、非接触通信処理部３１４は、非接触型ICリーダ／ライタ１６３を、非接触通信が可能な状態にする。
【０１４３】
このとき、タブレット内蔵モニタ１６１には、表示制御部３１２により、図１７に示される非接触通信利用画面Ｂ１’が表示される。非接触通信利用画面Ｂ１’は、図１６の非接触通信利用画面Ｂ１と同一であり、ここでは、複数の利用者に、１枚目に選択された携帯送信用画像の取得情報を取得させることができる。
【０１４４】
非接触通信利用画面Ｂ１’において、利用者によって、「２枚目へ進む」ボタンが押下されると、タブレット内蔵モニタ１６１には、表示制御部３１２により、図１７に示される非接触通信利用画面Ｂ２が表示される。非接触通信利用画面Ｂ２’は、図１６の非接触通信利用画面Ｂ２と同一であり、ここでは、複数の利用者に、２枚目に選択された携帯送信用画像の取得情報を取得させることができる。
【０１４５】
ステップＳ３８において、進行制御部３１１は、所定の時間が経過したか、または終了ボタンが操作されたか否かを判定する。
【０１４６】
所定の時間が経過しておらず、かつ、終了ボタン（非接触通信利用画面Ｂ２’の「ケータイ送信を終わる」ボタン）が操作されていない場合、処理はステップＳ３７に戻る。このとき、タブレット内蔵モニタ１６１は、非接触通信利用画面Ｂ１’または非接触通信利用画面Ｂ２’が表示された状態となる。
【０１４７】
一方、ステップＳ３８において、所定の時間が経過したか、または終了ボタンが操作されたと判定された場合、処理はステップＳ３９に進む。
【０１４８】
ステップＳ３９において、通信制御部３１６は、通信部２０３を制御し、インターネットなどのネットワークを介して、利用者により選択された携帯送信用画像をサーバに送信する。
【０１４９】
さて、ステップＳ３６において、非接触通信が選択されていないと判定された場合、すなわち、画像取得方法選択画面Ｃにおいて、「アドレス入力」ボタンが選択された場合、ステップＳ４０において、メールアドレス入力処理部３１５は、利用者によるメールアドレスの入力を受け付ける。
【０１５０】
このとき、タブレット内蔵モニタ１６１には、表示制御部３１２により、図１７に示されるメールアドレス入力画面Ｄが表示される。メールアドレス入力画面Ｄには、携帯送信用画像の送信先として、２人の利用者が所有する携帯端末それぞれの電子メールアドレスを入力させるための、アドレス入力欄、入力文字記号一覧、ＯＫボタン等がそれぞれ対になるように設けられている。また、メールアドレス入力画面Ｄには、画像取得方法を、非接触型IC利用の画像取得に切り替えるための「非接触型ICへ切替」ボタン（以下、単に、切替ボタンという）が設けられている。
【０１５１】
ステップＳ４１において、進行制御部３１１は、メールアドレス入力画面Ｄにおいて切替ボタンが操作されたか否かを判定する。切替ボタンが操作されていない場合、ステップＳ４２において、進行制御部３１１は、所定の時間が経過したか、または終了ボタンが操作されたか否かを判定する。
【０１５２】
所定の時間が経過しておらず、かつ、終了ボタン（メールアドレス入力画面Ｄ’のＯＫボタン）が操作されていない場合、処理はステップＳ４０に戻り、メールアドレスの入力を引き続き受け付ける。
【０１５３】
そして、ステップＳ４２において、所定の時間が経過したか、または終了ボタンが操作されたと判定された場合、処理はステップＳ３９に進む。
【０１５４】
ステップＳ４２の後のステップＳ３９においては、インターネットなどのネットワークを介して、利用者により選択された携帯送信用画像と、利用者により入力されたメールアドレスとがサーバに送信される。
【０１５５】
一方、ステップＳ４１において、切替ボタンが操作されたと判定された場合、処理はステップＳ３７に進み、非接触通信処理部３１４は、非接触型ICリーダ／ライタ１６３を、非接触通信が可能な状態にする。このとき、タブレット内蔵モニタ１６１には、メールアドレス入力画面Ｄに代わって非接触通信利用画面Ｂ１’が表示される。
【０１５６】
このように、画像取得方法として、メールアドレス入力が選択された場合であっても、非接触型IC利用の画像取得に切り替えることができる。
【０１５７】
以上の処理によれば、携帯送信用画像の取得方法として、まず、非接触型IC利用の画像取得を行わせてから、画像取得方法を選択させるようにしたので、非接触型ICを搭載した携帯端末の利用者に対して、非接触型ICを利用した画像の取得を優先して行わせることができる。これにより、非接触型ICを搭載した携帯端末の利用者の満足度を向上させることができるようになる。
【０１５８】
また、画像取得方法選択画面を表示させるようにしたので、非接触型ICを搭載している携帯端末の利用者が、誤ってメールアドレスを入力してしまうことを防ぐことができるので、非接触型ICを搭載した携帯端末の利用者の満足度をより向上させることができる。
【０１５９】
さらに、非接触型ICを搭載した携帯端末の利用者が、画像取得方法選択画面において、画像取得方法として、誤ってメールアドレス入力を選択した場合であっても、非接触型IC利用の画像取得に切り替えることができるので、非接触型ICを搭載した携帯端末の利用者の満足度をさらに向上させることができる。
【０１６０】
また、最初の非接触型IC利用の画像取得において、所定時間非接触通信を行わなかった場合には、画像取得方法選択画面が表示され、メールアドレス入力を選択することができるようになるので、非接触型ICを搭載していない携帯端末の利用者にとっても、ストレスなく、携帯送信ゲームを行わせることができる。
【０１６１】
なお、最初の非接触型IC利用の画像取得（ステップＳ３２の処理）から、強制的に画像取得方法選択画面を表示させるようにしてもよい。
【０１６２】
具体的には、図１８に示されるように、非接触通信利用画面Ｂ１において、新たに「終了」ボタンを設けるようにし、「終了」ボタンが押下されると、画像取得方法選択画面Ｃを表示させるようにしてもよい。
【０１６３】
これにより、最初の非接触型IC利用の画像取得から、より早くメールアドレス入力を選択することができるようになるので、非接触型ICを搭載していない携帯端末の利用者にとって、よりストレスなく、携帯送信ゲームを行わせることができる。
【０１６４】
なお、上述の「終了」ボタンは、非接触通信利用画面Ｂ２に設けられるようにしてもよい。
【０１６５】
［携帯送信ゲーム処理の流れの他の例について］
次に、図１９を参照して、事後接客処理として行われる携帯送信ゲーム処理の流れの他の例について説明する。
【０１６６】
図１９に示されるように、携帯送信ゲーム処理は以下の順番で行われる。
【０１６７】
１．（Ａ）携帯送信用画像の選択
２．（Ｂ）非接触型IC利用の画像取得
３．（Ｄ）メールアドレス入力、または、（Ｂ）非接触型IC利用の画像取得
【０１６８】
図１９の携帯送信ゲーム処理によれば、処理（Ａ）において、携帯送信用画像が利用者によって選択されると、処理（Ｂ）において、非接触通信により携帯端末に、携帯送信用画像を取得するための取得情報が送信される。
【０１６９】
これにより、まず、非接触型ICを搭載した携帯端末の利用者に対して、非接触型ICを利用した画像の取得を行わせることができる。
【０１７０】
その後、処理（Ｄ）、すなわちメールアドレス入力と、処理（Ｂ）、すなわち非接触型IC利用の画像取得のいずれかが行われる。
【０１７１】
詳細は後述するが、メールアドレスの入力画面には非接触型IC利用を受け付ける表示がされるとともに、非接触通信利用画面にはメールアドレスの入力画面への切替を受け付ける表示がされることで、画像取得方法が、メールアドレス入力と非接触型IC利用の画像取得とで、相互に切り替えられるようになる。
【０１７２】
［携帯送信ゲーム処理の他の例］
次に、図２０のフローチャートを参照して、上述した携帯送信ゲーム処理の詳細について説明する。
【０１７３】
なお、図２０のフローチャートのステップＳ６１乃至Ｓ６４における処理は、図１５のフローチャートのステップＳ３１乃至Ｓ３４における処理と同様であるので、その説明は省略する。
【０１７４】
すなわち、ステップＳ６５において、メールアドレス入力処理部３１５は、利用者によるメールアドレスの入力を受け付ける。
【０１７５】
このとき、タブレット内蔵モニタ１６１には、表示制御部３１２により、図２１に示されるメールアドレス入力画面Ｄ’が表示される。メールアドレス入力画面Ｄ’には、図１７のメールアドレス入力画面Ｄと同様に、携帯送信用画像の送信先として、２人の利用者が所有する携帯端末それぞれの電子メールアドレスを入力させるための、アドレス入力欄、入力文字記号一覧、ＯＫボタン等とがそれぞれ対になるように設けられている。
【０１７６】
さらに、メールアドレス入力画面Ｄ’には、非接触型IC利用の画像取得を行うことも可能であることを利用者に報知するメッセージ「非接触型ICでもできるよ！」が表示される。このメッセージに促され、利用者が、非接触型ICリーダ／ライタ１６３に携帯端末を一旦かざす等すると、非接触通信が可能となる。
【０１７７】
ステップＳ６６において、進行制御部３１１は、非接触通信の利用が選択されたか否かを判定する。具体的には、進行制御部３１１は、利用者が、非接触型ICリーダ／ライタ１６３に携帯端末を一旦かざす等したか否かを判定する。
【０１７８】
非接触通信の利用が選択されていない場合、ステップＳ６７において、進行制御部３１１は、所定の時間が経過したか、または終了ボタンが操作されたか否かを判定する。
【０１７９】
所定の時間が経過しておらず、かつ、終了ボタン（メールアドレス入力画面Ｄ’のＯＫボタン）が操作されていない場合、処理はステップＳ６５に戻り、メールアドレスの入力を引き続き受け付ける。
【０１８０】
そして、ステップＳ６７において、所定の時間が経過したか、または終了ボタンが操作されたと判定された場合、処理はステップＳ６８に進む。
【０１８１】
ステップＳ６８において、通信制御部３１６は、通信部２０３を制御し、インターネットなどのネットワークを介して、利用者により選択された携帯送信用画像と、利用者により入力されたメールアドレスとをサーバに送信する。
【０１８２】
一方、ステップＳ６６において、非接触通信の利用が選択されたと判定された場合、処理はステップＳ６９に進み、非接触通信処理部３１４は、非接触型ICリーダ／ライタ１６３を、非接触通信が可能な状態にする。
【０１８３】
このようにして、画像取得方法が、メールアドレス入力から非接触型IC利用の画像取得に切り替えられる。
【０１８４】
このとき、タブレット内蔵モニタ１６１には、表示制御部３１２により、図２１に示される非接触通信利用画面Ｂ１’が表示される。ここでは、複数の利用者に、１枚目に選択された携帯送信用画像の取得情報を取得させることができる。なお、非接触通信利用画面Ｂ１’には、画像取得方法を、メールアドレス入力に切り替えるための「アドレス入力へ切替」ボタン（以下、単に、切替ボタンという）が設けられている。
【０１８５】
ステップＳ７０において、進行制御部３１１は、非接触通信利用画面Ｂ１’において切替ボタンが操作されたか否かを判定する。切替ボタンが操作されていない場合、ステップＳ７１において、進行制御部３１１は、所定の時間が経過したか、または終了ボタンが操作されたか否かを判定する。
【０１８６】
所定の時間が経過しておらず、かつ、終了ボタンが操作されていない場合、処理はステップＳ６９に戻り、非接触通信が可能な状態が続く。
【０１８７】
すなわち、非接触通信利用画面Ｂ１’において、利用者によって、「２枚目へ進む」ボタンが押下されると、タブレット内蔵モニタ１６１には、表示制御部３１２により、図２１に示される非接触通信利用画面Ｂ２’が表示される。ここでは、複数の利用者に、２枚目に選択された携帯送信用画像の取得情報を取得させることができる。
【０１８８】
一方、ステップＳ７１において、所定の時間が経過したか、または終了ボタン（非接触通信利用画面Ｂ２’の「ケータイ送信を終わる」ボタン）が操作されたと判定された場合、処理はステップＳ６８に進む。
【０１８９】
ステップＳ７０の後のステップＳ６８においては、インターネットなどのネットワークを介して、利用者により選択された携帯送信用画像のみがサーバに送信される。
【０１９０】
また、ステップＳ７０において、切替ボタンが操作されたと判定された場合、処理はステップＳ６５に戻り、メールアドレス入力処理部３１５は、利用者によるメールアドレスの入力を受け付ける。このとき、タブレット内蔵モニタ１６１には、非接触通信利用画面Ｂ１’に代わってメールアドレス入力画面Ｄ’が表示される。
【０１９１】
このようにして、画像取得方法が、非接触型IC利用の画像取得からメールアドレス入力に切り替えられる。
【０１９２】
したがって、画像取得方法が、メールアドレス入力と非接触型IC利用の画像取得とで、相互に切り替えられる。
【０１９３】
以上の処理によれば、携帯送信用画像の取得方法として、まず、非接触型IC利用の画像取得を行わせてから、メールアドレスの入力を受け付けるようにしたので、非接触型ICを搭載した携帯端末の利用者に対して、非接触型ICを利用した画像の取得を優先して行わせることができる。これにより、非接触型ICを搭載した携帯端末の利用者の満足度を向上させることができるようになる。
【０１９４】
また、最初の非接触型IC利用の画像取得の後、画像取得方法選択画面を表示させずに、メールアドレス入力画面を表示させることで、より早くメールアドレスの入力を受け付けるようにしたので、非接触型ICを搭載していない携帯端末の利用者にとっても、ストレスなく、携帯送信ゲームを行わせることができる。
【０１９５】
さらに、非接触型ICを搭載した携帯端末の利用者が、メールアドレス入力画面に対して、誤ってメールアドレスを入力した場合であっても、非接触型ICリーダ／ライタ１６３に携帯端末をかざす等するだけで、画像取得方法を非接触型IC利用の画像取得に切り替えることができるので、非接触型ICを搭載した携帯端末の利用者の満足度を向上させることができるようになる。
【０１９６】
また、利用者が複数人で、そのうちの少なくとも１人の所有する携帯端末に非接触型ICが搭載されていない場合、例えば、利用者Ａの携帯端末には非接触型ICが搭載されており、利用者Ｂの携帯端末には非接触型ICが搭載されていない場合、利用者Ｂによるメールアドレスの入力が完了する前に、利用者Ａが非接触型ICリーダ／ライタ１６３に携帯端末をかざすと、メールアドレス入力画面は非接触通信利用画面に代わってしまう。このような場合であっても、利用者Ｂが切替ボタンを操作することで、非接触通信利用画面はメールアドレス入力画面に戻り、利用者Ｂはメールアドレスの入力を継続することができる。これにより、非接触型ICを搭載していない携帯端末の利用者の満足度を向上させることができるようになる。
【０１９７】
このように、画像取得方法として、メールアドレスの入力を希望する利用者と、非接触型ICの利用を希望する利用者との満足度を向上させることができるようになる。
【０１９８】
なお、図１８を参照して説明したように、非接触通信利用画面Ｂ１（Ｂ２）において、「終了」ボタンを設けるようにすることで、最初の非接触型IC利用の画像取得（ステップＳ６２の処理）から、強制的に画像取得方法選択画面を表示させるようにしてもよい。
【０１９９】
これにより、最初の非接触型IC利用の画像取得から、より早くメールアドレス入力を選択することができるようになるので、非接触型ICを搭載していない携帯端末の利用者にとって、よりストレスなく、携帯送信ゲームを行わせることができる。
【０２００】
［携帯送信ゲーム処理の流れのさらに他の例について］
次に、図２２を参照して、事後接客処理として行われる携帯送信ゲーム処理の流れのさらに他の例について説明する。
【０２０１】
図２２に示されるように、携帯送信ゲーム処理は以下の順番で行われる。
【０２０２】
１．（Ｃ）画像取得方法の選択
２．（Ａ）携帯送信用画像の選択
３．（Ｄ）メールアドレス入力、または、（Ｂ）非接触型IC利用の画像取得
【０２０３】
図２２の携帯送信ゲーム処理によれば、まず、処理（Ｃ）において、利用者により画像取得方法が選択される。
【０２０４】
その後、処理（Ａ）において、携帯送信用画像が利用者によって選択されると、処理（Ｃ）で選択された画像取得方法、すなわち、処理（Ｄ）（メールアドレス入力）、または処理（Ｂ）（非接触型IC利用の画像取得）が行われる。
【０２０５】
［携帯送信ゲーム処理のさらに他の例］
次に、図２３のフローチャートを参照して、上述した携帯送信ゲーム処理の詳細について説明する。
【０２０６】
ステップＳ９１において、進行制御部３３１は、タブレット内蔵モニタ１６１に画像取得方法選択画面を表示させ、利用者に画像取得方法を選択させる。
【０２０７】
このとき、タブレット内蔵モニタ１６１には、表示制御部３１２により、図２４に示される画像取得方法選択画面Ｃが表示される。図２４の画像取得方法選択画面Ｃには、図１７の画像取得方法選択画面Ｃと同様に、非接触型IC利用の画像取得を利用者に選択させる「非接触型IC」ボタンと、メールアドレス入力を利用者に選択させる「アドレス入力」ボタンとが表示されるが、「非接触型IC」ボタンが、「アドレス入力」ボタンより大きくなるように表示される。これにより、非接触型ICを搭載した携帯端末の利用者は、画像取得方法として、非接触型IC利用の画像取得を選択しやすくなる。
【０２０８】
ステップＳ９２において、進行制御部３１１は、非接触通信が選択された否かを判定する。非接触通信が選択されたと判定された場合、すなわち、画像取得方法選択画面Ｃにおいて、「非接触型IC」ボタンが選択された場合、ステップＳ９３において、送信画像選択制御部３１３は、タブレット内蔵モニタ１６１に携帯送信用画像選択画面を表示させ、利用者に携帯送信用画像を選択させて、利用者の選択を受け付ける。
【０２０９】
このとき、タブレット内蔵モニタ１６１には、表示制御部３１２により、図２４に示される携帯送信用画像選択画面Ａ１が表示される。
【０２１０】
携帯送信用画像選択画面Ａ１において、利用者により、携帯送信用画像のうちの１枚が選択され、「決定」ボタンが押下されると、ステップＳ９４において、非接触通信処理部３１４は、非接触型ICリーダ／ライタ１６３を、非接触通信が可能な状態にする。
【０２１１】
このとき、タブレット内蔵モニタ１６１には、表示制御部３１２により、図２４に示される非接触通信利用画面Ｂ１が表示される。ここでは、利用者に、１枚目に選択された携帯送信用画像の取得情報を取得させることができる。
【０２１２】
ステップＳ９５において、進行制御部３１１は、所定の時間が経過したか、または終了ボタンが操作されたか否かを判定する。
【０２１３】
所定の時間が経過しておらず、かつ、終了ボタンが操作されていない場合、処理はステップＳ９３に戻り、ステップＳ９３乃至Ｓ９５の処理が繰り返される。すなわち、非接触通信利用画面Ｂ１において、利用者によって、「２枚目へ進む」ボタンが押下されると、タブレット内蔵モニタ１６１には、表示制御部３１２により、図２４に示される携帯送信用画像選択画面Ａ２が表示される。
【０２１４】
携帯送信用画像選択画面Ａ２において、利用者により、携帯送信用画像のうちの１枚が選択され、「決定」ボタンが押下されると、タブレット内蔵モニタ１６１には、表示制御部３１２により、図２４に示される非接触通信利用画面Ｂ２が表示される。ここでは、利用者に、２枚目に選択された携帯送信用画像の取得情報を取得させることができる。
【０２１５】
一方、ステップＳ９５において、所定の時間が経過したか、または終了ボタン（非接触通信利用画面Ｂ２の「ケータイ送信を終わる」ボタン）が操作されたと判定された場合、処理はステップＳ９６に進む。
【０２１６】
ステップＳ９６において、通信制御部３１６は、通信部２０３を制御し、インターネットなどのネットワークを介して、利用者により選択された携帯送信用画像をサーバに送信する。
【０２１７】
さて、ステップＳ９２において、非接触通信が選択されていないと判定された場合、すなわち、画像取得方法選択画面Ｃにおいて、「アドレス入力」ボタンが選択された場合、ステップＳ９７において、送信画像選択制御部３１３は、タブレット内蔵モニタ１６１に携帯送信用画像選択画面を表示させ、利用者に携帯送信用画像を選択させて、利用者の選択を受け付ける。
【０２１８】
このとき、タブレット内蔵モニタ１６１には、表示制御部３１２により、図２４に示される携帯送信用画像選択画面Ａ’が表示される。携帯送信用画像選択画面Ａ’には、２人の利用者により選択される携帯送信用画像がそれぞれ対になるように表示されている。
【０２１９】
携帯送信用画像選択画面Ａ’において、２人の利用者により携帯送信用画像が選択されると、ステップＳ９８において、メールアドレス入力処理部３１５は、利用者によるメールアドレスの入力を受け付ける。
【０２２０】
このとき、タブレット内蔵モニタ１６１には、メールアドレス入力画面Ｄ’’が表示される。メールアドレス入力画面Ｄ’’には、携帯送信用画像の送信先として、２人の利用者が所有する携帯端末それぞれの電子メールアドレスを入力させるための、アドレス入力欄、入力文字記号一覧、ＯＫボタン等とがそれぞれ対になるように設けられている。また、メールアドレス入力画面Ｄ’’には、図１７に示されるメールアドレス入力画面Ｄに設けられている切替ボタンは設けられておらず、画像取得方法を非接触型IC利用の画像取得に変更することができないようになされている。
【０２２１】
ステップＳ９９において、進行制御部３１１は、所定の時間が経過したか、または終了ボタンが操作されたか否かを判定する。
【０２２２】
所定の時間が経過しておらず、かつ、終了ボタン（メールアドレス入力画面Ｄ’’のＯＫボタン）が操作されていない場合、処理はステップＳ９８に戻り、メールアドレスの入力を引き続き受け付ける。
【０２２３】
そして、ステップＳ９９において、所定の時間が経過したか、または終了ボタンが操作されたと判定された場合、処理はステップＳ９６に進む。
【０２２４】
ステップＳ９９の後のステップＳ９６においては、インターネットなどのネットワークを介して、利用者により選択された携帯送信用画像と、利用者により入力されたメールアドレスとがサーバに送信される。
【０２２５】
以上の処理によれば、まず、画像取得方法を選択させるようにしたので、利用者は、無駄な操作をすることなく、希望する画像取得方法で、携帯送信ゲーム処理を行うことができるようになり、利用者の満足度を向上させることができるようになる。
【０２２６】
なお、以上においては、非接触型ICの利用によって画像を取得する場合、携帯送信用画像選択画面（図１６の携帯送信用画像選択画面Ａ１，Ａ２や図２４の携帯送信用画像選択画面Ａ１，Ａ２）において、２枚の携帯送信用画像を１枚ずつ選択させ、それぞれの取得情報を取得させるようにしたが、２枚の携帯送信用画像を略同時に選択させるようにしてもよい。
【０２２７】
例えば、事後接客部１３に、タブレット内蔵モニタ１６１と非接触型ICリーダ／ライタ１６３とを２つずつ設け、２人の利用者に、それぞれのタブレット内蔵モニタ１６１に表示された携帯送信用画像選択画面から、携帯送信用画像を選択させ、取得情報を取得させるようにしてもよい。
【０２２８】
また、図１６の携帯送信用画像選択画面Ａ１や図２４の携帯送信用画像選択画面Ａ１から、２人の利用者に順番に携帯送信用画像を選択させて、取得情報を取得させるようにしてもよい。この場合、図１６の携帯送信用画像選択画面Ａ２や図２４の携帯送信用画像選択画面Ａ２は表示されないようになる。
【０２２９】
さらに、図２５に示されるように、携帯送信用画像選択画面Ａ’’において、２人の利用者により選択される携帯送信用画像がそれぞれ対になるように表示されるようにすることで、２枚の携帯送信用画像を一度に選択させるようにしてもよい。
【０２３０】
これにより、携帯送信用画像の選択に要する時間を短縮することができるので、事後接客処理にかかる時間、ひいては写真シール作成ゲームにかかる時間を短縮することができ、利用者の回転率を向上させることができる。
【０２３１】
なお、非接触通信利用画面Ｂ１に表示される１枚目の携帯送信用画像は、携帯送信用画像選択画面Ａ１や携帯送信用画像選択画面Ａ’’において左側の利用者により選択された携帯送信用画像としてもよいし、携帯送信用画像選択画面Ａ１や携帯送信用画像選択画面Ａ’’において左右の利用者によりいずれか先に選択された携帯送信用画像としてもよい。
【０２３２】
また、２枚の携帯送信用画像を略同時に選択させる際に、２人の利用者に、それぞれ異なる携帯送信用画像を選択させるのはもちろん、同一の携帯送信用画像を選択させるようにすることができる。
【０２３３】
上述したように写真シール作成装置１からサーバに送信された携帯送信用画像は、携帯端末からそのサーバにアクセスすることで、携帯端末に送信されるようになる。
【０２３４】
ここで、携帯送信ゲームにおいて、画像取得方法として非接触型IC利用の画像取得を選択した利用者の携帯端末には、高画質化した携帯送信用画像や、携帯送信用画像としての編集済み画像と編集前の撮影画像（合成画像）とを取得させるようにしてもよい。
【０２３５】
［写真シール作成装置を含む情報処理システムの構成例］
図２６は、上述で説明してきた写真シール作成装置１を含む情報処理システムの構成例を示している。
【０２３６】
図２６の情報処理システムは、写真シール作成装置１、携帯端末４０１、およびサーバ４０２から構成される。
【０２３７】
携帯端末４０１は、非接触型ICを搭載しており、写真シール作成装置１による写真シール作成ゲームの事後接客処理として携帯送信ゲーム処理が行われた場合、その利用者により非接触型ICリーダ／ライタ１６３にかざされることで、非接触型ICリーダ／ライタ１６３と非接触通信を行う。このとき、携帯端末４０１は、非接触型IC固有のID情報を、写真シール作成装置１に送信する。
【０２３８】
写真シール作成装置１の通信制御部３１６は、携帯送信ゲーム処理において、携帯送信用画像をサーバ４０２に送信する際、携帯端末４０１の非接触型IC固有のID情報を付加してサーバ４０２に送信する。
【０２３９】
サーバ４０２は、通信部４１１、画像管理部４１２、および判定部４１３を備えている。
【０２４０】
通信部４１１は、インターネットなどのネットワークを介して、写真シール作成装置１および携帯端末４０１と通信する。画像管理部４１２は、写真シール作成装置１から送信されてくる携帯送信用画像を管理したり、その携帯送信用画像に対して所定の画像処理を施す。判定部４１３は、写真シール作成装置１から送信されてくる携帯送信用画像に付加されている携帯端末４０１の非接触型IC固有のID情報に関する判定を行う。
【０２４１】
すなわち、写真シール作成装置１から送信されてくる携帯送信用画像に携帯端末４０１の非接触型IC固有のID情報が付加されていると判定された場合、画像管理部４１２は、その携帯送信用画像に対して、高画質化する画像処理を施したり、携帯送信用画像としての編集済み画像から編集前の画像を生成する。そして、携帯端末４０１から携帯送信用画像の要求があったとき、通信部４０２は、携帯端末４０１に対して、要求された携帯送信用画像に代わり高画質化した携帯送信用画像を送信したり、要求された携帯送信用画像とその編集前の画像を送信する。
【０２４２】
以上の構成によれば、非接触型IC利用の画像取得を選択した利用者の携帯端末には、通常の携帯送信用画像とは異なる特別な画像が送信されるようになる。すなわち、非接触型ICを搭載した携帯端末の利用者に対して特典を与えることができ、携帯送信ゲームにおける非接触型ICの利用をより一層促すことができるようになる。
【０２４３】
［利用者に安心して事後接客を行わせる構成］
図２７は、図３と同じ角度から写真シール作成装置１を見た斜視図である。
【０２４４】
ただし、図２７においては、レール２６Ａにカーテン４５１Ａが取り付けられ、レール２６Ｂにはカーテン４５１Ｂが取り付けられ、レール２６Ｃにはカーテン４５１Ｃが取り付けられている。
【０２４５】
図２７に示されるようにカーテン４５１Ａ乃至４５１Ｃを取り付けることにより、編集処理を行っている利用者が外から見えないようにすることができる。
【０２４６】
また、カーテン４５１Ｃの長さを、写真シール作成装置１の設置面近くまでの長さとすることで、事後接客を行うべき利用者以外の利用者が、いたずらや誤って事後接客を行うことを防ぐことができるようになる。例えば、編集空間Ａ２−１の利用者が、編集空間Ａ２−２の利用者より先に事後接客を行うべき場合、編集空間Ａ２−１の利用者が事後接客空間Ａ３に移動する前に、編集空間Ａ２−２の利用者が。いたずらや誤って事後接客を行うことを防ぐことができる。
【０２４７】
さらに、カーテン４５１Ｃにより、事後接客空間から編集空間がのぞかれないようになるので、編集空間にいる利用者は、編集作業に集中することができるようにもなる。
【０２４８】
［エラーまたはタイムアウト時の対応］
ところで、上述で説明した携帯送信ゲーム処理においては、非接触型ICリーダ／ライタ１６３と携帯端末との非接触通信の通信エラーや、所定時間内でのメールアドレス入力のタイムアウトが発生する可能性がある。この場合、利用者は、どのように携帯送信用画像を取得してよいのかわからなくなる。
【０２４９】
このような場合に備えて、最終的に出力される写真シール紙には、サーバのURLを含むメールを受信するためのメールアドレスが記載されており、利用者がそのメールアドレスに空メールを送信することで、サーバのURLを含むメールを受信し、そのURLに基づいてサーバにアクセスすることで、携帯送信用画像を取得することができるようになされている。
【０２５０】
しかしながら、写真シール紙にそのようなメールアドレスが記載されていることに気づかない利用者もいる可能性がある。
【０２５１】
そこで、非接触通信の通信エラーやメールアドレス入力のタイムアウトが発生した場合には、事後接客処理において携帯送信用画像をサーバに送信した後（または送信中に）、タブレット内蔵モニタ１６１に、写真シール紙にメールアドレスが記載されており、そのメールアドレスに基づいてサーバにアクセスすることで、携帯送信用画像を取得できる旨の案内を表示させるようにしてもよい。
【０２５２】
これにより、非接触通信の通信エラーやメールアドレス入力のタイムアウトが発生した場合でも、利用者は、確実に携帯送信用画像を取得することができるようになる。
【０２５３】
なお、上述のような案内は、非接触通信のエラーやメールアドレス入力のタイムアウトが発生したか否かにかかわらず表示されるようにしてもよい。
【０２５４】
さらに、携帯送信ゲームにおける非接触型ICの利用をより促すために、編集処理終了時のタブレット内蔵モニタ１３１や、事後接客処理（携帯送信ゲーム処理）開始時のタブレット内蔵モニタ１６１に、利用者に携帯端末の準備を促す旨の案内を表示するようにしてもよい。
【０２５５】
＜第２の実施の形態＞
［写真シール作成装置の外観構成］
図２４は、写真シール作成装置１の外観の他の構成例を示す斜視図である。上述した構成と同じ構成には同じ符号を付してある。
【０２５６】
図２４に示すように、写真シール作成装置１は、主に、撮影ユニット１１、編集部１２、および事中接客部５０１から構成される。編集部１２と事中接客部５０１が接した状態で設置され、撮影ユニット１１は、編集部１２と事中接客部５０１から離れた位置に設置される。
【０２５７】
撮影ユニット１１は、撮影部２１と背景部２２から構成される。撮影部２１と背景部２２は所定の距離だけ離れて設置され、撮影部２１と背景部２２の間に形成される撮影空間において撮影処理が行われる。
【０２５８】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【０２５９】
背景部２２は、正面を向いて撮影処理を行っている利用者の背面側に位置する板状の部材である背面パネル５１から構成される。背景部２２の上部には、背面パネル５１に支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。なお、複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【０２６０】
撮影部２１の左側面を構成する側面パネル４２Ａの上部と背景カーテンユニット２５は、板状の部材である連結部２３Ａによって連結される。また、撮影部２１の右側面を構成する側面パネル４２Ｂの上部と背景カーテンユニット２５は、板状の部材である連結部２３Ｂによって連結される。
【０２６１】
撮影部２１の側面パネル４２Ａ、連結部２３Ａ、および背景部２２の背面パネル５１に囲まれることによって形成される開口が撮影空間の出入り口Ｇ１となる。撮影部２１の側面パネル４２Ｂ、連結部２３Ｂ、および背景部２２の背面パネル５１に囲まれることによって形成される開口も撮影空間の出入り口Ｇ２となる。
【０２６２】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【０２６３】
正面パネル４１の背面側には、所定の距離だけ離れた位置に、正面パネル４１の背面に対して正面が向くように事中接客部５０１が設けられる。事中接客部５０１は、事中接客処理を利用者に行わせる装置である。事中接客処理として、上述した被写体の画像処理が行われる。図２４の写真シール作成装置１の利用者は、撮影処理に含まれる本撮影処理と被写体の画像処理のうち、本撮影処理のみを撮影空間で行い、被写体の画像処理については、事中接客部５０１の正面前方に形成される事中接客空間で行うことになる。
【０２６４】
事中接客部５０１は、所定の厚さを有する板状の筐体を有しており、その背面が編集部１２の右側面に接するように編集部１２に連結して設けられる。事中接客部５０１の正面には、事中接客処理時に利用者により用いられるタブレット内蔵モニタが設けられる。
【０２６５】
事中接客部５０１の上方には連結レール５０２が取り付けられる。連結レールは３本のレール５０２Ａ乃至５０２Ｃを組み合わせて構成される。レール５０２Ａの一端は連結部２３Ａに固定され、他端は、レール５０２Ａの延長上にあるカーテンレール２６のレール２６Ａと接合される。レール５０２Ｂの一端は連結部２３Ｂに固定され、他端は、レール３０２Ｂの延長上にあるカーテンレール２６のレール２６Ｂと接合される。レール５０２Ｃの一端は、レール５０２Ａとレール２６Ａの接合部に接合され、他端は、レール５０２Ｂとレール２６Ｂの接合部に接合される。
【０２６６】
図２４に示す編集部１２の構成を正面側の構成とすると、レール５０２Ｃには、事中接客空間と編集部１２の正面側の編集空間とを仕切る仕切りカーテン５０３Ａ、および、事中接客空間と編集部１２の背面側の編集空間とを仕切る仕切りカーテン５０３Ｂが取り付けられる。仕切りカーテン５０３Ａと５０３Ｂは、事中接客部５０１の正面とほぼ平行に取り付けられる。
【０２６７】
事中接客空間と編集空間を仕切るカーテンが事中接客部５０１の正面とほぼ平行に取り付けられることにより、事中接客部５０１の正面に設けられるタブレット内蔵モニタ１６１などを用いて事中接客処理を終えた利用者は、その向きのまま、編集空間に移動することができる。また、仕切りカーテン５０３Ａと５０３Ｂを、各空間にいる利用者の足元が見える高さに取り付けることによって、編集空間への移動を容易に行わせることができる。仕切りカーテン５０３Ａと５０３Ｂの代わりに、事中接客空間と編集空間を仕切るパネルを設けてもよい。
【０２６８】
編集部１２は、撮影処理によって得られた画像を編集する処理である編集処理を利用者に行わせる装置である。編集部１２には、編集処理時に利用者により用いられるタブレット内蔵モニタなどの構成が設けられる。２組の利用者が同時に編集処理を行うことができるように、編集部１２の正面側と背面側には編集処理に用いられる構成がそれぞれ設けられる。
【０２６９】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２６）が設けられる。
【０２７０】
編集部１２の上方にはカーテンレール２６が取り付けられる。カーテンレール２６は、上から見たときの形状がコの字状となるように３本のレール２６Ａ乃至２６Ｃを組み合わせて構成される。レール２６Ａの一端は、連結レールのレール５０２Ａと接合され、レール２６Ａの他端はレール２６Ｃの一端と接合される。レール２６Ｂの一端は、連結レールのレール５０２Ｂと接合され、レール２６Ｂの他端はレール２６Ｃの他端と接合される。
【０２７１】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う空間である編集空間となる。
【０２７２】
図２５は、カーテンを取り付けた状態の写真シール作成装置１の外観を示す図である。
【０２７３】
図２５に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【０２７４】
また、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【０２７５】
事中接客空間の上方に設けられるレール５０２Ａにはカーテン５１１Ａが取り付けられ、レール５０２Ｂにはカーテン５１１Ｂが取り付けられる。編集空間の上方に設けられるレール２６Ａにはカーテン５１２Ａが取り付けられ、レール２６Ｂにはカーテン５１２Ｂが取り付けられる。
【０２７６】
図２６は、図２４の写真シール作成装置１を別の角度から見た斜視図である。
【０２７７】
編集部１２の左側面７６には、撮影画像や編集済みの画像が印刷されたシール紙が排出される写真シール排出口１６４が設けられる。編集部１２の左側面７６の前方の空間が、利用者がシール紙の印刷が終わるのを待つ印刷待ち空間となる。
【０２７８】
ここで、図２４の写真シール作成装置１により提供される写真シール作成ゲームの流れと、それに伴う利用者の移動について図２７を参照して説明する。図２７は、写真シール作成装置１を上から見た平面図である。
【０２７９】
写真シール作成装置１の利用者は、白抜き矢印＃１１で示すように出入り口Ｇ１から、または白抜き矢印＃１２で示すように出入り口Ｇ２から、撮影部２１と背景部２２の間に形成された撮影空間Ａ１に入り、撮影部２１に設けられたカメラやタッチパネルモニタなど利用して撮影処理のうちの本撮影処理を行う。
【０２８０】
本撮影処理を終えた利用者は、白抜き矢印＃１３で示すように出入り口Ｇ１を使って撮影空間Ａ１から出て事中接客空間Ａ１１に移動するか、白抜き矢印＃１４で示すように出入り口Ｇ２を使って撮影空間Ａ１から出て事中接客空間Ａ１１に移動し、被写体の画像処理を行う。
【０２８１】
被写体の画像処理を終えた利用者は、白抜き矢印＃１５で示すように事中接客空間Ａ１１から出て編集空間Ａ２−１に移動するか、白抜き矢印＃１６で示すように事中接客空間Ａ１１から出て編集空間Ａ２−２に移動する。
【０２８２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、事中接客部５０１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【０２８３】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃１７で示すように編集空間Ａ２−１から印刷待ち空間Ａ１２に移動して印刷が終わるのを待つ。また、編集処理を終えた利用者は、編集空間Ａ２−２で編集処理を行っていた場合には白抜き矢印＃１８で示すように編集空間Ａ２−２から印刷待ち空間Ａ１２に移動し、印刷待ち空間Ａ１２において印刷が終わるのを待つ。
【０２８４】
画像の印刷が終了したとき、利用者は、編集部１２の左側面７６に設けられた写真シール排出口１６４からシール紙を受け取り、一連の写真シール作成ゲームを終えることになる。
【０２８５】
このように、事中接客空間Ａ１１を設け、被写体の画像処理を、本撮影処理を行う撮影空間Ａ１とは別の空間である事中接客空間Ａ１１で行わせることにより、被写体の画像処理を利用者に集中して行わせることが可能になる。また、撮影空間Ａ１では本撮影処理のみを行わせることにより、本撮影処理にも利用者を集中させることが可能になる。
【０２８６】
本撮影処理と被写体の画像処理を撮影空間Ａ１で行わせ、編集対象画像の選択などの、撮影画像の編集前の処理を事中接客空間Ａ１１で行わせるようにしてもよい。本撮影処理と他の処理を撮影空間Ａ１で行わせる場合、図１１を参照して説明したようにして撮影空間Ａ１内の明るさを調整してもよい。
【０２８７】
［各装置の構成］
次に、各装置の構成について説明する。撮影部２１の正面の構成は図５および図６に示す構成と同じである。また、背景部２２の撮影空間Ａ１側の構成は図７に示す構成と同じである。
【０２８８】
図２８は、編集部１２の正面側（編集空間Ａ２−１側）の構成例を示す図である。
【０２８９】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【０２９０】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【０２９１】
編集部１２の右側には事中接客部５０１が設けられる。
【０２９２】
図２９は、編集部１２の左側面の構成例を示す図である。
【０２９３】
編集部１２の左側面７６には写真シール排出口１６４が設けられる。写真シール排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【０２９４】
編集空間Ａ２−２側の斜面７７には、斜面７２に設けられる図２８の構成と同じ構成が設けられる。
【０２９５】
図３０は、事中接客部５０１の正面の構成例を示す図である。
【０２９６】
事中接客部５０１の構成は、写真シール排出口１６４が設けられていない点を除いて事後接客部１３の構成と同じである。事中接客部５０１の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。
【０２９７】
タブレット内蔵モニタ１６１の下には非接触型ICリーダ／ライタ１６３が設けられ、非接触型ICリーダ／ライタ１６３の下方にはスピーカ１６５が設けられる。非接触型ICリーダ／ライタ１６３は、近接された非接触型ICと通信を行い、非接触型ICからのデータの読み出しや非接触型ICに対するデータの書き込みを行う。スピーカ１６５は、事中接客処理の案内音声、BGM、効果音等の音を出力する。
【０２９８】
［写真シール作成装置の内部構成］
図３１は、図２４の写真シール作成装置１の内部の構成例を示すブロック図である。図１０を参照して説明した構成と同じ構成には同じ符号を付してある。重複する説明については適宜省略する。
【０２９９】
事中接客部５５１は、事中接客空間Ａ１１における事中接客処理を行う構成であるタブレット内蔵モニタ１６１、タッチペン１６２Ａ，１６２Ｂ、非接触型ICリーダ／ライタ１６３、およびスピーカ１６５から構成される。
【０３００】
［写真シール作成装置の動作］
ここで、図３２のフローチャートを参照して、写真シール作成ゲームを提供する図２４の写真シール作成装置１の処理について説明する。
【０３０１】
ステップＳ２０１において、写真シール作成装置１の制御部２０１は、所定の金額分の硬貨が投入されたか否かを硬貨処理部２２１から供給される信号に基づいて判定し、投入されたと判定するまで待機する。
【０３０２】
硬貨が投入されたとステップＳ２０１において判定した場合、ステップＳ２０２において、撮影処理部３０２は、撮影部２０８を制御し、撮影空間Ａ１にいる利用者を被写体として撮影する本撮影処理を行う。
【０３０３】
ステップＳ２０３において、撮影処理部３０２は、撮影空間Ａ１にいる利用者に対して、事中接客空間Ａ１１への移動を案内する。事中接客空間Ａ１１への移動の案内は、撮影部２０８のタッチパネルモニタ９３に画面を表示させることによって、または音声をスピーカ２２４から出力させることによって行われる。
【０３０４】
ステップＳ２０４において、撮影処理部３０２は、事中接客部５５１を制御し、事中接客空間Ａ１１にいる利用者による操作に応じて被写体の画像処理を行う。被写体の画像処理により、本撮影処理によって得られた撮影画像に写る利用者の目のサイズの選択と、撮影画像の明るさの選択が事中接客空間Ａ１１にいる利用者によって行われる。目のサイズの選択に用いられる選択画面と、撮影画像の明るさの調整に用いられる選択画面は事中接客部５０１のタブレット内蔵モニタ１６１に表示される。
【０３０５】
ステップＳ２０５において、制御部２０１は、事中接客空間Ａ１１にいる利用者に対して、編集空間Ａ２−１または編集空間Ａ２−２への移動を案内する。編集空間Ａ２−１または編集空間Ａ２−２への移動の案内は、事中接客部５５１のタブレット内蔵モニタ１６１に画面を表示させることによって、または音声をスピーカ１６５から出力させることによって行われる。
【０３０６】
ステップＳ２０６において、編集処理部３０３は、編集部２０９Ａまたは編集部２０９Ｂを制御し、編集処理を行う。
【０３０７】
ステップＳ２０７において、編集処理部３０３は、編集空間Ａ２−１または編集空間Ａ２−２で編集処理を終えた利用者に対して印刷待ち空間Ａ１２への移動を案内する。印刷待ち空間Ａ１２への移動の案内は、タブレット内蔵モニタ１３１に画面を表示させることによって、または音声をスピーカ２３１から出力させることによって行われる。印刷待ち空間Ａ１２への移動を案内する前、事後接客処理が編集空間Ａ２−１または編集空間Ａ２−２において行われるようにしてもよい。
【０３０８】
ステップＳ２０８において、印刷処理部３０４は、印刷部２１１を制御し、印刷処理を行う。印刷処理部３０４は、利用者により選択された画像をプリンタ２４１に出力してシール紙に印刷させる。
【０３０９】
印刷が終了したとき、ステップＳ２０９において、プリンタ２４１は、画像が印刷されたシール紙を写真シール排出口１６４に排出し、処理を終了させる。
【０３１０】
なお、上述した構成において、非接触型ICリーダ／ライタ１６３は、事中接客部５０１に設けられるようにしたが、編集部１２に設けられるようにしてもよいし、図９に示されるように、事後接客部１３に設けられるようにしてもよい。
【０３１１】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０３１２】
この記録媒体は、例えば、図１０に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０３１３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３１４】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【符号の説明】
【０３１５】
１  写真シール作成装置
１２  編集部
２０１  制御部
２０９  編集部
３０２  撮影処理部
３０３  編集処理部
３０４  印刷処理部
３０５  事後接客処理部
３１１  進行制御部
３１２  表示制御部
３１３  送信画像選択制御部
３１４  非接触通信処理部
３１５  メールアドレス入力処理部
３１６  通信処理部
【図１】
0005533778.tif 000002
【図２】
0005533778.tif 000003
【図３】
0005533778.tif 000004
【図４】
0005533778.tif 000005
【図５】
0005533778.tif 000006
【図６】
0005533778.tif 000007
【図７】
0005533778.tif 000008
【図８】
0005533778.tif 000009
【図９】
0005533778.tif 000010
【図１０】
0005533778.tif 000011
【図１１】
0005533778.tif 000012
【図１２】
0005533778.tif 000013
【図１３】
0005533778.tif 000014
【図１４】
0005533778.tif 000015
【図１５】
0005533778.tif 000016
【図１６】
0005533778.tif 000017
【図１７】
0005533778.tif 000018
【図１８】
0005533778.tif 000019
【図１９】
0005533778.tif 000020
【図２０】
0005533778.tif 000021
【図２１】
0005533778.tif 000022
【図２２】
0005533778.tif 000023
【図２３】
0005533778.tif 000024
【図２４】
0005533778.tif 000025
【図２５】
0005533778.tif 000026
【図２６】
0005533778.tif 000027
【図２７】
0005533778.tif 000028
【図２８】
0005533778.tif 000029
【図２９】
0005533778.tif 000030
【図３０】
0005533778.tif 000031
【図３１】
0005533778.tif 000032
【図３２】
0005533778.tif 000033
【図３３】
0005533778.tif 000034
【図３４】
0005533778.tif 000035
【図３５】
0005533778.tif 000036
【図３６】
0005533778.tif 000037